(57)【要約】【課題】水硬性材料を、長期間、良好な品質を安定的に維持して保管することができる手段を提供することを課題とする。【解決手段】真空包装用材料からなる第１の容器と、該第１の容器に収容された第２の容器と、該第２の容器に収容された水硬性材料とを備え、前記第１の容器内が真空状態に保持されていることを特徴とする、水硬性材料包装物、水硬性材料を、真空包装用材料からなる第１の容器に収容された第２の容器内で真空状態となるように包装することを特徴とする、水硬性材料の包装方法、並びに水硬性材料を、真空包装用材料からなる第１の容器に収容された第２の容器内で、真空状態となるように維持することを特徴とする、水硬性材料の保管方法。【選択図】なし【特許請求の範囲】
【請求項１】
真空包装用材料からなる第１の容器と、該第１の容器に収容された第２の容器と、該第２の容器に収容された水硬性材料とを備えてなり、前記第１の容器内が真空状態に保持されていることを特徴とする、水硬性材料包装物。
【請求項２】
該水硬性材料が、セメントである、請求項１記載の水硬性材料包装物。
【請求項３】
水硬性材料を、真空包装用材料からなる第１の容器に収容された第２の容器内で真空状態となるように包装することを特徴とする、水硬性材料の包装方法。
【請求項４】
該第２の容器により梱包された水硬性材料を、真空包装用材料からなる第１の容器に収容し、ついで、該第１の容器内を真空状態にする、請求項３記載の水硬性材料の包装方法。
【請求項５】
該水硬性材料を、真空包装用材料からなる第１の容器に収容された第２の容器に入れ、ついで、該第１の容器内を真空状態にする、請求項３記載の水硬性材料の包装方法。
【請求項６】
該水硬性材料が、セメントである、請求項３〜５いずれか１項に記載の水硬性材料の包装方法。
【請求項７】
水硬性材料を、真空包装用材料からなる第１の容器に収容された第２の容器内で、真空状態となるように維持することを特徴とする、水硬性材料の保管方法。
【発明の詳細な説明】
【技術分野】
【０００１】
本発明は、水硬性材料包装物、該水硬性材料の包装方法及び水硬性材料の保管方法に関する。より詳しくは、本発明は、例えば、セメント等の水硬性材料を、長期間保管することができる、水硬性材料包装物、該水硬性材料の包装方法及び該水硬性材料の保管方法に関する。
【背景技術】
【０００２】
水硬性材料は、土木建築材料等として広く用いられている。前記水硬性材料の運搬及び保管は、例えば、セメントの場合、該セメントを、そのまま、セメントタンカー、バラ積みトラック等により運搬し、セメントサイロで保管すること、該セメントをトンパック、セメント用紙袋等に梱包して、梱包されたセメントを運搬し、保管すること等により行なわれている。
【０００３】
しかしながら、なかでも、トンパック、セメント用紙袋等に梱包されたセメントは、高温、高湿度等の環境条件への曝露等により、品質が低下するという問題点がある。また、前記環境条件への曝露等を避けた場合でも、トンパック、セメント用紙袋等から大気中に含まれる水分が浸透し、該水分とトンパック、セメント用紙袋等の内部のセメントとが接触することがあるため、トンパック、セメント用紙袋等に梱包されたセメントが、大気中の水との接触により風化され、数ヶ月程度しか良好な品質を維持できない場合があるという問題点がある。
【発明の開示】
【発明が解決しようとする課題】
【０００４】
本発明は、上記従来の問題点に鑑みてなされたものであり、水硬性材料、例えば、セメント等を、長期間、良好な品質を安定的に維持して保管することができる、水硬性材料包装物を提供することを１つの課題とする。また、本発明は、他の側面では、前記水硬性材料を、長期間、良好な品質を安定的に維持して保管すること等が可能な前記水硬性材料包装物を簡便に得ることができる、水硬性材料の包装方法を提供することを１つの課題とする。さらに、本発明は、別の側面では、前記水硬性材料を、長期間、良好な品質を安定的に維持して保管することができる、水硬性材料の保管方法を提供することを１つの課題とする。本発明の他の課題は、本明細書の記載から明らかである。
【課題を解決するための手段】
【０００５】
すなわち、本発明は、前記課題に鑑みてなされたものであり、１つの側面では、真空包装用材料からなる第１の容器と、該第１の容器に収容された第２の容器と、該第２の容器に収容された水硬性材料とを備え、前記第１の容器内が真空状態に保持されていることを特徴とする、水硬性材料包装物に関する。また、本発明は、他の側面では、水硬性材料を、真空包装用材料からなる第１の容器に収容された第２の容器内で真空状態となるように包装することを特徴とする、水硬性材料の包装方法に関する。さらに、本発明は、別の側面では、水硬性材料を、真空包装用材料からなる第１の容器に収容された第２の容器内で、真空状態となるように維持することを特徴とする、水硬性材料の保管方法に関する。
【発明の効果】
【０００６】
本発明の水硬性材料包装物によれば、水硬性材料、例えば、セメント等を、長期間、良好な品質を安定的に維持して保管することができるという優れた効果を奏する。また、本発明の水硬性材料の包装方法によれば、前記水硬性材料を、長期間、良好な品質を安定的に維持して保管すること等が可能な水硬性材料包装物を、簡便に得ることができるという優れた効果を奏する。さらに、本発明は、別の側面では、水硬性材料を、長期間、良好な品質を安定的に維持し、簡便な手段で保管することができるという優れた効果を奏する。
【発明を実施するための最良の形態】
【０００７】
本発明は、１つの側面では、真空包装用材料からなる第１の容器と、該第１の容器に収容された第２の容器と、該第２の容器に収容された水硬性材料とを備え、前記第１の容器内が真空状態に保持されていることを特徴とする、水硬性材料包装物に関する。
【０００８】
前記真空包装用材料は、目的とする保管期間、所定の真空度を保持できるよう、要求性能に応じて、空気遮断性（例えば、二酸化炭素遮断性、酸素遮断性等）を示す物質からなる単独材料又は少なくとも２種の前記単独材料の組み合わせからなる積層体材料を選定し、かつ厚さを選定すればよい。前記真空包装用材料としては、具体的には、例えば、ポリアミド系樹脂、シリコン、ポリ塩化ビニルデン、ポリプロピレン、ポリオレフィン、アルミニウム、エチレンビニルアルコール、ナイロン、ポリエチレンテフタレート、ポリエチレン等のうちの１種の物質、該物質の混合物及び該物質から得られる化合物のいずれかからなる単独材料又は少なくとも２種の前記単独材料の層が積層された積層体材料等が挙げられる。より具体的には、前記真空包装用材料としては、例えば、ナイロンからなる単独材料の層とポリプロピレンからなる単独材料の層とが積層された積層体材料、アルミニウムからなる単独材料の層とポリエチレンテフタレートからなる単独材料の層とポリエチレンからなる単独材料の層とが積層された積層体材料等が挙げられる。
【０００９】
なお、本明細書においては、前記「真空状態」とは、標準状態から減圧された状態を指し、好ましくは、１０Ｐａ〜１０4Ｐａ、より好ましくは、１０2Ｐａ〜１０3Ｐａの状態をいう。
【００１０】
前記第１の容器は、内部を真空状態にし、密閉することが可能な容器であればよい。かかる容器の形状としては、袋状、箱状等が挙げられ、汎用性の観点から、好ましくは、袋状であることが望ましい。
【００１１】
また、前記第２の容器としては、水硬性材料に対して安定であり、十分な物理的強度を有する容器であればよく、例えば、セメント袋として慣用のクラフト紙袋等が挙げられる。なお、前記クラフト紙袋としては、例えば、ＪＩＳ  Ｚ１５０５（１９９９年）  「クラフト紙袋−セメント用」等が挙げられる。
【００１２】
本発明の水硬性材料包装物においては、前記第１の容器の内部に第２の容器が収容されている。そのため、前記第１の容器の大きさは、第２の容器を収容できる大きさであればよい。
【００１３】
前記水硬性材料としては、例えば、セメント、石膏、高炉スラグ微粉末やフライアッシュ等のコンクリート用混和材、コンクリート用膨張材、左官用モルタル、建築仕上材、充填材、グラウト材等が挙げられる。前記セメントとしては、具体的には、例えば、普通、早強、超早強、白色、耐硫酸塩、中庸熱、低熱等の各種ポルトランドセメント、該ポルトランドセメントに高炉スラグ、フライアッシュ等を混合した混合セメント；ジェットセメント、アルミナセメント等の特殊セメント；セメント系固化材等が挙げられる。
【００１４】
本発明の水硬性材料包装物は、水硬性材料を、真空包装用材料からなる第１の容器に収容された第２の容器内で真空状態となるように包装することにより得られうる。
【００１５】
なお、本発明において、水硬性材料、例えば、セメントの品質は、強熱減量の変化により評価されうる。前記強熱減量は、ＪＩＳ  Ｒ  ５２０２（１９９９年）  「ポルトランドセメントの化学分析方法」に従って算出される。
【００１６】
本発明の水硬性材料包装物によれば、真空包装用材料からなる第１の容器に収容された第２の容器の内部に、水硬性材料が真空状態で保持されているため、水硬性材料と大気中の水分、空気等との接触が実質的に抑制できるという優れた効果を発揮する。そのため、本発明の水硬性材料包装物によれば、水硬性材料を、長期間にわたって保管することも可能になるという優れた効果を発揮する。また、本発明の水硬性材料包装物によれば、水硬性材料が真空状態で保持されているため、通常状態（非真空状態）において容器内に含まれうる水分による該水硬性材料の風化が実質的に抑制され、該水硬性材料の品質を良好な状態で安定的に維持して該水硬性材料を保管することができるという優れた効果を発揮する。さらに、本発明の水硬性材料包装物によれば、該水硬性材料包装物を一定期間、例えば、1ヶ月保管し、上記のようにして保管前と保管後との強熱減量の差が、水硬性材料をそのまま同じ期間保管したときの保管前と保管後との強熱減量の差に比べ、顕著に低いため、品質の劣化が抑制されることが示される。
【００１７】
また、本発明の水硬性材料包装物は、例えば、従来の袋入りセメントに比べ、同重量での容積が顕著に小さいという優れた効果を発揮する。したがって、本発明の水硬性材料包装物は、保管や運搬時における省スペース化の点でも有利である。
【００１８】
本発明は、他の側面では、水硬性材料を、真空包装用材料からなる第１の容器に収容された第２の容器中で真空包装することを特徴とする、水硬性材料の包装方法に関する。
【００１９】
本発明の水硬性材料の包装方法の第１の実施態様は、前記第２の容器により梱包された水硬性材料を、真空包装用材料からなる第１の容器に収容し、ついで、該第１の容器内を真空状態にするステップを含む方法である。前記第２の容器により梱包された水硬性材料とは、例えば、袋入りの水硬性材料、例えば、袋入りセメント等を意味する。かかる第１の実施態様の包装方法は、従来市販されている袋入りの水硬性材料、例えば、袋入りセメント等を、そのまま、真空包装用材料からなる第１の容器に収容し、真空状態にすることにより行なわれうる。すなわち、かかる実施態様の包装方法によれば、市販されている袋入りの水硬性材料、例えば、袋入りセメント等をそのまま用いても、長期間、良好な品質を安定的に維持して当該水硬性材料、例えば、セメントを保管することができる水硬性材料包装物を簡便に得ることができる。
【００２０】
前記第１の実施態様の包装方法においては、慣用の真空包装用装置が用いられうる。前記第１の実施態様の包装方法においては、具体的には、例えば、第２の容器により梱包された水硬性材料を真空包装の対象物として、慣用の真空包装用装置に設置された真空包装用材料からなる第１の容器に収容させ、その後、真空包装が行なわれる。
【００２１】
前記第１の実施態様の包装方法は、例えば、真空包装用材料からなる第１の容器を保持する第１容器保持器具が内設され、減圧バルブと復圧バルブとが設けられている減圧自在のチャンバーと、
該チャンバーに該減圧バルブを介して連結された真空ポンプと、
該第１の容器の開口を閉じるシール装置と、
該チャンバーの内部に連通して設けられた圧力センサと、
該真空ポンプとシール装置とを制御する制御装置と
を有し、
該制御装置が、第２の容器により梱包された水硬性材料が該第２の容器内に収容された後、該真空ポンプを作動させて、チャンバー内部を減圧させ、ついで、該シール装置を作動させて、第１の容器の開口を封緘させるように制御するように構成されていることを特徴とする、真空包装装置等により行なわれうる。
【００２２】
前記第１容器保持器具としては、第１の容器を、少なくとも開口が封緘されるまで保持できるものであればよく、フック等が挙げられる。
【００２３】
前記チャンバーは、減圧条件に耐えうるものであればよく、その形状、材質等に特に限定されるものではなく、適宜選択されうる。また、前記チャンバーは、内部に第１の容器を保持できる大きさであればよい。
【００２４】
前記真空ポンプは、脱気バルブを介して前記チャンバーと連結され、脱気バルブからチャンバー内の空気を脱気するように配されている。前記真空ポンプには、慣用のものが用いられうる。
【００２５】
前記シール装置としては、第１の容器の開口を封緘できるものであればよく、例えば、ヒートシーラー等が挙げられる。
【００２６】
前記真空包装装置においては、例えば、第２の容器により梱包された水硬性材料が第１の容器内に収容されたことの情報の入力により、制御装置は、真空ポンプを作動させる。これにより、減圧バルブを介してチャンバー内の減圧が開始される。同時に、前記チャンバーの内部に連通して設けられた圧力センサからの該チャンバー内の減圧状態の情報が前記制御装置に入力されることにより、該制御装置が、真空ポンプの作動状態を制御する。これにより、チャンバー内が、例えば、２００Ｐａの真空状態に調整される。ここで、チャンバー内が真空状態になることにより、第１の容器の内部も真空状態となる。加えて、水分が存在していた場合には、第１の容器の内側から、該水分が除去される。ついで、前記チャンバー内部が真空状態になったことの情報が圧力センサから制御装置に入力されることにより、該制御装置は、シール装置を作動させる。これにより、第１の容器が、封緘される。その後、復圧バルブが開かれ、チャンバー内部の減圧状態が大気圧に戻される。これにより、水硬性材料包装物が得られる。
【００２７】
本発明の水硬性材料の包装方法の第２の実施態様は、水硬性材料を、真空包装用材料からなる第１の容器に収容された第２の容器に入れ、ついで、該第１の容器内を真空状態にし、さらに第２の容器を封緘し、その後、第１の容器を封緘するステップを含む方法である。かかる実施態様の包装方法によっても前記水硬性材料包装物を得ることができる。
【００２８】
本発明の水硬性材料の包装方法によれば、真空包装用材料からなる第１の容器に収容された第２の容器中で、第２の容器を封緘する前に水硬性材料が真空状態に維持されるため、大気中の空気、水分等と、水硬性材料との接触が実質的に抑制されるという優れた効果を発揮する。また、本発明の水硬性材料の包装方法によれば、前記第１の実施態様の場合に比べ、容器中に微量に存在することがある水分がより確実に除去されるという優れた効果を発揮する。そのため、本発明の包装方法によれば、水硬性材料の水和活性の低下、凝結の遅延、強度低下等を実質的に抑制することができ、長期間、良好な品質を安定的に維持して水硬性材料を保管すること等ができる水硬性材料包装物を簡便に得ることができるという優れた効果を発揮する。
【００２９】
本発明は、別の側面では、水硬性材料を、真空包装用材料からなる第１の容器に収容された第２の容器内で、真空状態となるように維持することを特徴とする、水硬性材料の保管方法に関する。
【００３０】
本発明の水硬性材料の保管方法は、本発明の包装方法により、水硬性材料を包装し、それにより、真空包装用材料からなる第１の容器に収容された第２の容器内で、真空状態となるように維持することにより行なわれうる。
【００３１】
本発明の水硬性材料の保管方法によれば、水硬性材料が、真空包装用材料からなる第１の容器に収容された第２の容器内で、真空状態となるように維持され、包装されるため、通常の保管状態（例えば、既存のセメント用クラフト紙袋単独での保管等）では、水硬性材料中に微量に存在することがある水分が除去され、かつ空気が除去された状態で水硬性材料を保管することができるという優れた効果を発揮する。また、本発明の保管方法によれば、大気中の空気、水分等と、水硬性材料との接触が実質的に抑制された状態で水硬性材料を保管することができるという優れた効果を発揮する。そのため、本発明の保管方法によれば、水硬性材料の水和活性の低下、凝結の遅延、強度低下等を実質的に抑制することができ、長期間、良好な品質を安定的に維持して水硬性材料を保管することができるという優れた効果を発揮する。
【００３２】
以下、本発明を実施例に基づき詳細に説明するが、本発明はこれら実施例に限定されるものではない。
【実施例】
【００３３】
（実施例１）
ＪＩＳ  Ｚ  １５０５（１９９９年）  「クラフト紙袋−セメント用」１種に相当する袋に、普通ポルトランドセメント（住友大阪セメント株式会社製）  ２５ｋｇを入れ、梱包した。ついで、得られたクラフト紙袋入りセメント  ２５ｋｇ体を、ナイロン  １５μｍとポリエチレン  ７０μｍとの積層物からなる真空包装用袋（商品名：ＢＡ−４５６０Ｈ、サイズ：４５０×６００ｍｍ、明和パックス株式会社製）に入れ、真空包装対象物を得た。得られた真空包装対象物を、真空包装機（商品名：Ｖ−５５２、東静電気株式会社製）に供して、２００Ｐａの条件で真空包装した。得られた真空包装物を、実施例１の試料とした。
【００３４】
（比較例１）
前記実施例１におけるクラフト紙袋入りセメント（２５ｋｇ）を比較例１の試料とした。
【００３５】
（比較例２）
前記実施例１におけるクラフト紙袋入りセメント（２５ｋｇ）を、ポリエチレン製袋（ポリエチレン袋４５ｌ入り、積水フィルム株式会社製）に入れ、真空引きすることなく、開口部をガムテープで封緘して、梱包した。得られた梱包物を、比較例２の試料とした。
【００３６】
（試験例）
前記実施例１、比較例１及び比較例２それぞれの試料を、４０℃、９９％相対湿度の室内で２ヶ月間保管し、セメントの品質の変化を試験した。その後、保管前後におけるセメントの品質の変化を、ＪＩＳ  Ｒ  ５２０２（１９９９年）  「ポルトランドセメントの化学分析方法」に従って評価した。結果を、表１に示す。
【００３７】
【表１】
2007269338.tif 000002
【００３８】
その結果、表１に示されるように、実施例１では、保管開始前のセメントの強熱減量が、０．６３％であるのに対し、保管後のセメントの強熱減量は、０．６４％であり、セメントの品質の変化が、ほとんど見られないことがわかる。かかる結果より、実施例１のようにセメントを保管した場合、該セメントを、長期間、安定的に維持できることが示唆される。
【００３９】
一方、比較例１では、保管後のセメントの強熱減量は、１１．３％であり、セメントの風化による品質の低下が顕著に認められる。すなわち、従来から用いられているクラフト紙袋に入れられた比較例１の場合のセメントの品質は、実施例１の場合に比べ、風化により大幅に低下することがわかる。
【００４０】
また、比較例２では、保管後のセメントの強熱減量は、０．９２％であり、保管前のセメントの強熱減量と保管後のセメントの強熱減量との変化の度合いが実施例１の場合の約３０倍となっている。よって、比較例２においても、セメントの品質は、実施例１の場合に比べて大幅に低下することがわかる。
【００４１】
すなわち、実施例１のように、セメントを真空包装した場合、当該セメントの品質の低下を抑制でき、セメントを長期間、安定的に保管できることがわかる。
【産業上の利用可能性】
【００４２】
本発明によれば、水硬性物質、例えば、セメント等を長期間、安定的に保管することが可能になる。